(57)【要約】【課題】  投稿者の位置情報の公開を必須とするＳＮＳを構築することにより、それに伴う独自の楽しさ社会に提供する。【解決手段】  ソーシャルネットワーキングサービスを提供するコンピュータプログラムや装置等である。  コンピュータが、文字列、または文章、または画像、または音声、または動画を含む投稿情報を取得し、投稿情報の投稿要請を取得し、投稿要請を取得した場合、自動的に投稿情報の投稿位置を取得し、且つ、自動的に投稿情報と投稿位置とを含む公開情報を公開する。すなわち、投稿情報と投稿位置とを自動的に公開して、投稿位置の公開を必須とするＳＮＳサービスを提供する。  また、コンピュータが、投稿情報を公開してから投稿情報を非公開にするまで非公開時間を取得し、すべての投稿情報を、各々の公開時から非公開時間経過後に、非公開とする。これにより、投稿情報および位置情報の価値等を保つことができる。【選択図】図３
2019079476.tif 000002
【特許請求の範囲】
【請求項１】
コンピュータを、
文字列、または文章、または画像、または音声、または動画を含む投稿情報を取得する投稿情報取得手段、
前記投稿情報の投稿要請を取得する投稿要請取得手段、
前記投稿要請を取得した場合、自動的に前記投稿情報の投稿位置を取得し、且つ、自動的に前記投稿情報と前記投稿位置とを含む公開情報を公開する公開手段、
として機能させることを特徴とするソーシャルネットワーキングサービス提供プログラム。
【請求項２】
コンピュータを、
前記投稿情報を公開してから、前記投稿情報を非公開にするまで非公開時間を取得する非公開時間取得手段、
すべての前記投稿情報を、各々の公開時から前記非公開時間経過後に、非公開とする非公開手段、
として機能させることを特徴とする請求項１記載のソーシャルネットワーキングサービス提供プログラム。
【請求項３】
コンピュータを、
前記投稿情報が何かを求める要求情報であるか、または前記要求情報には該当しない非要求情報であるのかを識別する識別手段として機能させ、
前記要求情報の前記非公開時間は、前記非要求情報の前記非公開時間より短い
ことを特徴とする請求項２記載のソーシャルネットワーキングサービス提供プログラム。
【請求項４】
コンピュータを、
電子地図を取得する電子地図取得手段、
前記電子地図と前記投稿情報の前記投稿位置を示す位置マークとに基いて、位置マーク付き電子地図を生成する位置マーク付き電子地図生成手段、
前記位置マーク付き電子地図を公開する位置マーク付電子地図公開手段、
として機能させることを特徴とする請求項１記載のソーシャルネットワーキングサービス提供プログラム。
【請求項５】
コンピュータを、
前記投稿情報を公開してから、前記投稿情報を非公開にするまで非公開時間を取得する非公開時間取得手段、
すべての前記位置マークを、各々の公開時から前記非公開時間経過後に、前記位置マーク付き電子地図から消去する位置マーク消去手段、
として機能させることを特徴とする請求項４記載のソーシャルネットワーキングサービス提供プログラム。
【請求項６】
コンピュータを、
電子地図を取得する電子地図取得手段、
前記投稿位置と前記投稿情報の投稿時間とに基いて、エリア毎および時間帯毎の前記公開情報の増減を集計し、その集計結果と前記電子地図とに基いて増減集計付き電子地図を生成する増減集計付き電子地図生成手段、
として機能させることを特徴とする請求項１記載のソーシャルネットワーキングサービス提供プログラム。
【請求項７】
コンピュータを、
投稿者の内心の種別を取得する内心種別取得手段として機能させ、
前記位置マークは前記内心種別により異なる
ことを特徴とする請求項４記載のソーシャルネットワーキングサービス提供プログラム。
【請求項８】
コンピュータを、
電子地図を取得する電子地図取得手段、
前記内心種別と前記投稿位置と前記投稿情報の投稿時間とに基いて、エリア毎および時間帯毎の投稿者の内心を集計し、その集計結果と前記電子地図とに基いて内心集計付き前記電子地図を生成する内心集計付き電子地図生成手段、
として機能させることを特徴とする請求項７記載のソーシャルネットワーキングサービス提供プログラム。
【請求項９】
コンピュータを、
前記投稿情報の投稿者の関係者を取得する関係者取得手段、
前記公開情報の公開先から前記関係者を除外する関係者除外手段、
として機能させることを特徴とする請求項１記載のソーシャルネットワーキングサービス提供プログラム。
【請求項１０】
前記位置マークは、
前記投稿情報が、商品またはサービスの提供者側から発信された情報である場合と、
商品またはサービスの提供を受ける側から発信された情報である場合とで異なる、
ことを特徴とする請求項４記載のソーシャルネットワーキングサービス提供プログラム。
【請求項１１】
コンピュータを、
前記投稿位置の公開を拒否する公開拒否位置を取得する公開拒否位置取得手段、
前記投稿位置が前記公開拒否位置に該当する場合、投稿者に対して警告を発信する警告発信手段、
として機能させることを特徴とする請求項１記載のソーシャルネットワーキングサービス提供プログラム。
【請求項１２】
コンピュータを、
前記投稿位置の公開を拒否する公開拒否位置を取得する公開拒否位置取得手段、
前記投稿位置の代わりとなる代替位置を取得する代替位置取得手段、
前記投稿位置が前記公開拒否位置に該当する場合、前記投稿位置を前記代替位置に置き換える代替位置置換手段、
として機能させることを特徴とする請求項１記載のソーシャルネットワーキングサービス提供プログラム。
【請求項１３】
前記投稿要請とは、前記投稿情報の公開を要請する投稿者の最終意思を意味することを特徴とする請求項１記載のソーシャルネットワーキングサービス提供プログラム。
【請求項１４】
文字列、または文章、または画像、または音声、または動画を含む投稿情報を取得する投稿情報取得手段と、
前記投稿情報の投稿要請を取得する投稿要請取得手段と、
前記投稿要請を取得した場合、自動的に前記投稿情報の投稿位置を取得し、且つ、自動的に前記投稿情報と前記投稿位置とを含む公開情報を公開する公開手段と、
を備えることを特徴とするソーシャルネットワーキングサービス提供装置。
【請求項１５】
コンピュータが、
文字列、または文章、または画像、または音声、または動画を含む投稿情報を取得する投稿情報取得ステップと、
前記投稿情報の投稿要請を取得する投稿要請取得ステップと、
前記投稿要請を取得した場合、自動的に前記投稿情報の投稿位置を取得し、且つ、自動的に前記投稿情報と前記投稿位置とを含む公開情報を公開する公開ステップと、
を実行することを特徴とするソーシャルネットワーキングサービス提供方法。
【発明の詳細な説明】
【技術分野】
【０００１】  本発明は、ＳＮＳ（Ｓｏｃｉａｌ  Ｎｅｔｗｏｒｋｉｎｇ  Ｓｅｒｖｉｃｅ／ソーシャルネットワーキングサービス、または、ソーシャルメディアネットワーキングサービス）を提供する装置等に関する。
【背景技術】
【０００２】  近年大流行しているＳＮＳは、もはや人々の生活の一部となっており、ＳＮＳなしでは生活できない人が多数存在するほどである。
現在、各種のＳＮＳが提供されているが、ＳＮＳの特徴として、各ＳＮＳにおいて独自の制限が加えられている点が挙げられる。すなわち、各ＳＮＳでは、独自の制限を設けることにより、それに伴う独自の楽しさや利点を生じさせているのである。
例えば、実名登録を必須としているＳＮＳがあるが、これはこのような制限を設けることにより、投稿内容の信頼性を確保している。また、１４０文字以内の文字しか一度に投稿できないＳＮＳがあるが、これはこのような制限を設けることにより、気楽に投稿したり、気楽に投稿内容を閲覧できるという利点を生じさせている。更に、写真投稿を必須としているＳＮＳがあるが、これはこのような制限を設けることにより、見た目に楽しく分かりやすい投稿を閲覧できるなどの利点を生じさせている。【０００３】
【先行技術文献】
【非特許文献】
【０００４】
【非特許文献１】ＦＡＣＥＢＯＯＫホームページ／ｈｔｔｐｓ：／／ｊａ−ｊｐ．ｆａｃｅｂｏｏｋ．ｃｏｍ／２０１７年１０月２０日検索
【非特許文献２】Ｔｗｉｔｔｅｒホームページ／ｈｔｔｐｓ：／／ｔｗｉｔｔｅｒ．ｃｏｍ／２０１７年１０月２０日検索
【非特許文献３】ｉｎｓｔａｇｒａｍホームページ／ｈｔｔｐｓ：／／ｗｗｗ．ｉｎｓｔａｇｒａｍ．ｃｏｍ／／２０１７年１０月２０日検索
【発明の概要】
【発明が解決しようとする課題】
【０００５】  上記のように、ＳＮＳは様々な独自の制約を加えることにより、独自の楽しさや利点を生じさせている。
しかし、これまでは「投稿者の位置情報の公開」を必須とするＳＮＳは提供されていない。すなわち、位置情報の公開を必須にするという制限を設ければ、それに伴う独自の楽しさや利点が生まれるのに、現在まではそのようなＳＮＳは提供されていない。【０００６】  本発明は、このような課題を解決するためのものであり、投稿者の位置情報の公開を必須とするＳＮＳを構築することにより、それに伴う独自の楽しさを社会に提供するものである。
【課題を解決するための手段】
【０００７】  上記問題を解決するため、本発明では、次の手段を備える装置、コンピュータを次の手段として機能させるプログラム、コンピュータが次のステップを行う方法が提供される。
（１）文字列、または文章、または画像、または音声、または動画を含む投稿情報を取得する投稿情報取得手段、前記投稿情報の投稿要請を取得する投稿要請取得手段、前記投稿要請を取得した場合、自動的に前記投稿情報の投稿位置を取得し、且つ、自動的に前記投稿情報と前記投稿位置とを含む公開情報を公開する公開手段。
（２）前記投稿情報を公開してから、前記投稿情報を非公開にするまで非公開時間を取得する非公開時間取得手段、すべての前記投稿情報を、各々の公開時から前記非公開時間経過後に、非公開とする非公開手段。
（３）前記投稿情報が何かを求める要求情報であるか、または前記要求情報には該当しない非要求情報であるのかを識別する識別手段であり、前記要求情報の前記非公開時間は、前記非要求情報の前記非公開時間より短い。
（４）電子地図を取得する電子地図取得手段、前記電子地図と前記投稿情報の投稿位置を示す位置マークとに基いて、位置マーク付き電子地図を生成する位置マーク付き電子地図生成手段、前記位置マーク付き電子地図を公開する位置マーク付電子地図公開手段。
（５）前記投稿情報を公開してから、前記投稿情報を非公開にするまで非公開時間を取得する非公開時間取得手段、すべての前記位置マークを、各々の公開時から前記非公開時間経過後に、前記位置マーク付き電子地図から消去する位置マーク消去手段。
（６）電子地図を取得する電子地図取得手段、前記投稿位置と前記投稿情報の投稿時間とに基いて、エリア毎および時間帯毎の前記公開情報の増減を集計し、その集計結果と前記電子地図とに基いて増減集計付き電子地図を生成する増減集計付き電子地図生成手段。
（７）投稿者の内心の種別を取得する内心種別取得手段をとして機能させ、前記位置マークは前記内心種別により異なる。
（８）電子地図を取得する電子地図取得手段、前記内心種別と前記投稿位置と前記投稿情報の投稿時間とに基いて、エリア毎および時間帯毎の投稿者の内心を集計し、その集計結果と前記電子地図とに基いて内心集計付き前記電子地図を生成する内心集計付き電子地図生成手段。
（９）前記投稿情報の投稿者の関係者を取得する関係者取得手段、前記公開情報の公開先から前記関係者を除外する関係者除外手段。
（１０）前記位置マークは、前記投稿情報が、商品またはサービスの提供者側から発信された情報である場合と、商品またはサービスの提供を受ける側から発信された情報である場合とで異なる。
（１１）前記投稿情報の投稿位置を取得する投稿位置取得手段、
前記投稿位置の公開を拒否する公開拒否位置を取得する公開拒否位置取得手段、
前記投稿位置が前記公開拒否位置に該当する場合、投稿者に対して警告を発信する警告発信手段。
（１２）前記投稿情報の投稿位置を取得する投稿位置取得手段、前記投稿位置の公開を拒否する公開拒否位置を取得する公開拒否位置取得手段、前記投稿位置の代わりとなる代替位置を取得する代替位置取得手段、前記投稿位置が前記公開拒否位置に該当する場合、前記投稿位置を前記代替位置に置き換える代替位置置換手段。
（１３）前記投稿要請とは、前記投稿情報の公開を要請する投稿者の最終意思を意味する。
【発明の効果】
【０００８】  本発明は、投稿者の位置情報の公開を必須とするＳＮＳを構築することにより、それに伴う独自の楽しさを社会に提供することができる。すなわち、リアルタイムな位置情報を知ることにより生まれる新たなコミュニケーションを社会に提供することができる。
【図面の簡単な説明】
【０００９】
【図１】  本発明のハードウェア構成の一例を表す図である。
【図２】  電子地図に旗マークを表した画像を表す図である。
【図３】  Ｄ地区を拡大した電子地図の画像を表す図である。
【図４】  ひとつの旗マークを消去した電子地図の画像を表す図である。
【図５】  内心種別や投稿の増減を表した画像を表す図である。
【図６】  １つ目の投稿の内容を表す図である。
【図７】  ２つ目の投稿の内容を表す図である。
【図８】  ３つ目の投稿の内容を表す図である。
【図９】  エリア特定情報、時間帯特定情報、消去時間特定情報を表す図である。
【図１０】  提供者位置マーク特定情報、内心種別位置マーク特定情報を表す図である。
【図１１】  本サービスユーザーリスト、投稿者の関係者リストを表す図である。
【図１２】  本ＳＮＳのフローチャートを表す図である。
【図１３】  集計処理のフローチャートを表す図である。
【図１４】  公開位置拒否設定に関するデータ図等を表す図である。
【発明を実施するための形態】
【実施例】
【００１０】  次に、本発明の実施例を図に基づいて説明する。
図１は、本発明の実施例のハードウェア構成の概略図である。
本発明は、ＳＮＳサービスを提供する会社が運営するＳＮＳサーバー１（コンピュータ）と、ＳＮＳのユーザーが利用するユーザー端末（ユーザー端末２からユーザー端末５）とからなり、ＳＮＳサーバー１と各ユーザー端末とはインターネットなどの通信手段を介して情報の送受信ができるよう接続されている。ユーザー端末とはスマートフォンやパーソナルコンピュータなどのことであり、ここでは便宜上ユーザー端末２を投稿者が利用する投稿者端末２とも呼び、その他のユーザー端末３からユーザー端末５を閲覧者端末（公開先となる端末）とも呼ぶこととする。【００１１】  ＳＮＳサーバー１と各ユーザー端末の記憶装置には、本発明を実現するためのコンピュータプログラム（アプリケーションソフト）や所定のデータが記憶されており、ＳＮＳサーバー１と各ユーザー端末に内蔵されている処理装置はこのコンピュータプログラムの処理命令に従って所定の処理を行う。【００１２】  次に、各端末の表示画面に表示される内容について説明する。
本発明は、ＳＮＳに投稿がされた場合、投稿内容（投稿情報）と投稿された位置を電子地図上に表示するものであり、本実施例では図２のような瓢箪（ひょうたん）形の島１０があると仮定し、その島１０においてＳＮＳユーザーが投稿するケースを例に説明する。
図２は、瓢箪形の島１０の電子地図（電子地図の情報）と、その島１０を４つのエリア（Ａ地区、Ｂ地区、Ｃ地区、Ｄ地区）とに分けた画像である。電子地図にはＢ地区において９つの投稿があり、Ｃ地区において１つの投稿があり、Ｄ地区において３つの投稿があったことを示す位置マーク２０が表されている。【００１３】  図３は、図２の電子地図からＤ地区を拡大表示したものである。図２のＤ地区においては、３つの投稿をまとめて１つの位置マーク２０と投稿数とで表示していたが、拡大した場合は３つの投稿を１つ１つの位置マーク２０（位置マーク２０ａ、位置マーク２０ｂ、位置マーク２０ｃ）で表示する。なお、投稿情報は拡大表示すると自動的に表示されるようにしてもよいし、旗（位置マーク２０）をクリックまたはタップすると表示されるようにしてもよい。【００１４】  図４は、図３の表示内容から位置マーク２０ｃを消去したものである。すべての位置マーク２０は所定時間経過後に電子地図から消去されるが、詳細については後述する。【００１５】  図５は、Ａ地区において「嬉しい」という内心種別の投稿が３５０件あったことを表示し、Ｂ地区において「悲しい」という内心種別の投稿が２４０件あったことを表示し、Ｃ地区において投稿数が５００％増えたことを表示し、Ｄ地区において投稿数が３０％減少したことを表示したものである。
例えば、Ａ地区をホームとするサッカーチームとＢ地区をホームとするサッカーチームとが試合を行い、Ａ地区のチームが勝利すると、Ａ地区において「嬉しい」を意味する投稿が増加し、Ｂ地区においては「悲しい」を意味する投稿が増加する。図５を見れば、その内心（感情）の増減がひと目で分かるので、楽しく興味深いＳＮＳサービスとなる。
また、例えば、Ｃ地区で音楽イベントが開催されている場合、Ｃ地区で投稿数が大幅に増える一方で、Ｄ地区ではそのイベント観覧のために多くの人がＣ地区に移動してしまい、投稿が減る。図５を見れば、そのような人の動きがひと目で分かるので、楽しく興味深いＳＮＳサービスとなる。【００１６】  図６から図８の上段は投稿画面であり、図６から図８の下段は投稿画面から投稿された内容に基いて生成される投稿管理データを表したものである。なお、図６から図８の投稿（投稿情報）は別々のユーザーから投稿されたものとする。なお、図６から図８の投稿情報とは、文字列、または文章、または画像、または動画、または音声を含む情報である。【００１７】  図９の「エリア特定」はエリアの範囲を特定するための位置（緯度と経度）を表す情報であり、「時間帯特定情報」は時間帯の幅を表す情報である。【００１８】  図９の下段は消去時間特定情報を表したものであり、これは一旦公開された投稿情報を非公開にするまでの時間である。なお、本ＳＮＳでは、閲覧者は位置マークを手がかりに投稿情報を閲覧するので、位置マークを消去するまでの時間と投稿情報の非公開時間とは原則として同意である。
公開された投稿情報は所定の時間経過後（非公開時間経過後）に非公開となり、位置マーク２０は位置マーク付き電子地図から消去される。人は移動するものであるため、いつまでも投稿情報および位置マーク２０等を表示して公開を続けると、情報の鮮度が落ちてしまう（情報の価値や重要性が低くなる）からである。すなわち、ＳＮＳのユーザー（投稿の閲覧者）が、位置マーク２０をみて、投稿者がその場所に居ると思い込み、その場所に出向くか、または投稿者に電話をしたら、既にその人はその場を立ち去ってしまっており残念な気持ちになる。ひいては鮮度の落ちた情報を発信するＳＮＳサービスに失望してしまうのである。よって、本実施例では、情報の鮮度を保つため、一定時間後には投稿情報を非公開とし、位置マーク２０を消去するのである。【００１９】  図９の消去時間特定情報は、投稿が要求情報（何かを求めたり、誰かを勧誘する情報）である場合の消去時間と、要求情報には該当しない非要求情報である場合の消去時間とからなる。ここでは要求情報の場合の消去時間（例えば３０分）は、非要求情報の消去時間（例えば６０分）よりも短時間が設定されている。
要求情報は、情報の鮮度が落ちるのが早いので、一般の投稿よりも早く消去することが望ましい。例えば、「駅前で飲み仲間募集」などの要求情報は、待ち時間が長くなったり、飲み仲間が見つかったりするとすぐに情報の鮮度が落ち、その価値がなくなるので、早めに消去する。これにより本ＳＮＳがより便利になるのである。【００２０】  図１０の「提供者位置マーク特定情報」は、商品やサービスを提供する提供者側が投稿した場合に表示する位置マーク（色付き旗のマーク）と、商品やサービスの提供を受ける顧客側（一般の人）が投稿した場合に表示する位置マーク（白旗のマーク）とを設定したものである。例えば、お店の投稿と顧客の投稿、イベント主催者の投稿とイベント参加者の投稿とを別の位置マークにして、顧客の誘導や告知などを円滑に行うためである。【００２１】  図１０の「内心種別位置マーク特定情報」は、投稿者の内心（嬉しい、楽しい、悲しい、怒り、切ない等の感情や思い）の種別に応じた位置マークを特定するための情報である。内心種別に応じて異なる位置マークを表示すれば、その投稿者の感情まで理解できて、楽しいＳＮＳサービスとなる。【００２２】  図１１の「本サービスユーザーリスト」は、本実施例で提供しているＳＮＳサービスのユーザーの一覧を表したファイルである。
図１１の「投稿者の関係者リスト」は、投稿者の友達や知人など投稿者と一定の関係がある人のリストである。本ＳＮＳは、位置情報の公開を必須とするものである。しかし、ケースによっては自らの位置を関係者には知られたくないが、関係者以外の不特定多数の人には知ってもらいたい場合がある。例えば、仕事をサボって休憩している時の投稿などがこれに該当する。よって、図１１の情報を利用すれば、関係者を除外して投稿を公開できる。
なお、投稿者関係者リストは、友達関係を重視する他のＳＮＳサービスから入手するとよい。【００２３】  なお、各図面に表されたデータファイルは、ＳＮＳサーバー１や各ユーザー端末の記憶装置に記憶され、データ図に表された各項目は互いに関連付けられて（対応づけられて）記憶されている。【００２４】  次に、本実施例の処理手順について説明する。
図１２は本実施例の処理手順を示すフローチャートである。このフローチャートは、投稿受付（ＳＴＥＰ１）、投稿時間取得（ＳＴＥＰ２）、投稿位置取得（ＳＴＥＰ３）、位置マーク特定（ＳＴＥＰ４）、位置マーク消去時間特定（ＳＴＥＰ５）、投稿管理データ送信（ＳＴＥＰ６）、位置マーク付き電子地図生成（ＳＴＥＰ７）、公開情報生成・公開（ＳＴＥＰ８）、位置マーク消去（ＳＴＥＰ９）とからなる。【００２５】  ＳＴＥＰ１は、投稿受付の処理である。
投稿者は図６上段の投稿画面から投稿情報を入力する。その際、「嬉しい」「悲しい」などの内心の種別や、その投稿が何かを求める要求情報であるか否か、自らが商品やサービスの提供者であり、その提供に関する投稿（広告、告知、誘導など）であるか否かなども入力する。なお、ここでは内心種別や要求情報であるか否かの区分や提供者であるか否かの区分を投稿者が入力することとしているが、投稿情報（投稿内容）をコンピュータで解析して、それら種別や区分を自動的に付与・設定してもよい。
投稿情報の入力を終わり、その内容に問題がなければ、投稿者は「投稿する（投稿要請）」をクリックまたはタップする。
なお、「投稿する（投稿要請）」をクリックまたはタップした以降、投稿者は何も操作する必要はなく、投稿者端末２およびＳＮＳサーバー１が自動的にこれからの処理を実行する。すなわち、投稿要請を行った後は、投稿者が位置情報の公開を拒否する機会はなく、強制的に投稿位置の公開がなされる。【００２６】  「投稿する（投稿要請）」の入力を受け付けた投稿者端末２（投稿情報取得手段、投稿要請取得手段、識別手段、内心種別取得手段）は、投稿管理データの「投稿情報」「内心種別」「要求区分」「提供者区分」に、入力された各々データを代入する（図６から図８の下段）。
なお、図７もこのＳＴＥＰ１と同様の処理を行うが、図７の場合は、店舗の投稿（商品やサービスの提供者側からの投稿）なので、提供者区分が「提供者」となる。
また、図８もこのＳＴＥＰ１と同様の処理を行うが、図８の場合は、何かを求め、勧誘する情報なので、要求区分が「要求情報」となる。【００２７】  ＳＴＥＰ２は、投稿時間取得である。
投稿者端末２は、投稿者端末２に内蔵されている時計から現在の日付と時間を取得し、これを図６の「投稿時間」に代入する。なお、図７・図８の場合もこのＳＴＥＰ２と同様の処理を行う。【００２８】  ＳＴＥＰ３は、投稿位置取得である。
投稿者端末２（投稿位置取得手段）は、投稿者端末２に内蔵されている位置特定手段（ＧＰＳ／ｇｌｏｂａｌ  ｐｏｓｉｔｉｏｎｉｎｇ  ｓｙｓｔｅｍ）から現在位置（緯度と経度などの座標データまたはその他の位置を表すデータ）を取得し、これを図６の「投稿位置」に代入する。なお、図７・図８の場合もこのＳＴＥＰ３と同様の処理を行う。【００２９】  ＳＴＥＰ４は、位置マーク特定である。
投稿者端末２は、投稿管理データの「提供者区分」の内容と図１０の提供者位置マーク特定情報とに基いて、位置マークの種別を特定する。
図６および図８の場合、「提供者区分：一般」なので、白旗のマークが特定される。投稿者端末２は、特定された白旗のマークを、投稿管理データの「マーク種別」に代入する。
図７の場合は、「提供者区分：提供者」なので、色付き旗のマークが特定される。【００３０】  ＳＴＥＰ５は、位置マーク消去時間特定である。
投稿者端末２（非公開時間取得手段）は、投稿管理データの「要求区分」の内容と、図９の「消去時間特定情報」とに基いて、消去時間（非公開時間）を特定する。この非公開時間とは、投稿情報や投稿された位置を示す位置マークが公開されてから、その投稿情報や位置マークを非公開にするまでの時間である。
図６および図７の場合、「要求区分：非要求情報」なので、「消去時間：６０分」が特定される。投稿者端末２は、投稿時間と特定された消去時間（６０分）とに基いて、マーク消去時間を算出し、算出結果を投稿管理データの「マーク消去時間」に代入する。
図８の場合、「要求区分：要求情報」なので、「消去時間：３０分」が特定される。投稿者端末２は、投稿時間と特定された消去時間（３０分）とに基いて、マーク消去時間を算出し、算出結果を投稿管理データの「マーク消去時間」に代入する。【００３１】  ＳＴＥＰ６は、投稿管理データ送信の処理である。
投稿者端末２は、図６の投稿管理データをＳＮＳサーバー１に送信し、投稿管理データを受信したＳＮＳサーバー１は記憶装置に記憶する（なお、図７および図８に関しても同様の処理を行う）。【００３２】  ＳＴＥＰ７は、位置マーク付き電子地図生成の処理である。
ＳＮＳサーバー１（電子地図取得手段）は、記憶装置に記憶されている電子地図の情報を取得する。
次に、ＳＮＳサーバー１（位置マーク付き電子地図生成手段）は、投稿管理データに含まれる「投稿位置」「マーク種別（投稿位置を示すマークの種別）」と、取得した電子地図とに基いて、位置マーク付き電子地図（図２や図３のような画像データ）を生成する。【００３３】  ＳＴＥＰ８は、公開情報生成の処理および公開の処理である。
ＳＮＳサーバー１（公開手段、位置マーク付き電子地図公開手段）は、生成した位置マーク付き電子地図と投稿管理データの投稿情報とに基いて公開情報を生成する。そして、それを閲覧者端末３から閲覧者端末５に対して送信する。これにより図２や図３のような画像が投稿者端末２や閲覧者端末３から閲覧者端末５の表示モニタに表示される。【００３４】  ＳＴＥＰ９は、位置マーク消去の処理である。
ＳＮＳサーバー１（非公開手段、位置マーク消去手段）は、ＳＮＳサーバー１に内蔵された時計が示す時刻と、投稿管理データのマーク消去時間が示す時刻とを常時比較し、マーク消去時間になったら（マーク消去時間を経過したら）、位置マーク付き電子地図から図３の位置マーク２０ｃを消去した位置マーク消去済み電子地図を生成し、これを投稿者端末２や閲覧者端末３から閲覧者端末５に送信する。これにより閲覧者端末３から閲覧者端末５の表示モニタは、図３から図４の内容に更新され、位置マーク２０ｃに係る投稿情報は非公開となる。なお、ＳＮＳサーバー１は、すべての位置マークについて同様の処理により、位置マークをそれぞれの非公開時間経過後に消去する。また、投稿された順番は図６、図７、図８であるが、図８の投稿情報は要求情報なので、消去時間が３０分で他より早期に訪れる。よって、消去される順番は図８、図６、図７となる。このように消去されることにより投稿情報の鮮度が保たれる。
以上が本実施例の一連の流れである。【００３５】  次に、エリア毎・時間帯毎にユーザーの内心種別や投稿数の増減を集計する処理について説明する。
図１３は、そのための処理フローであり、エリア特定（ＳＴＥＰ２１）、時間帯特定（ＳＴＥＰ２２）、集計処理（ＳＴＥＰ２３）、集計付き電子地図生成・公開（ＳＴＥＰ２４）とからなる。【００３６】  ＳＴＥＰ２１は、エリア特定の処理である。
ＳＮＳサーバー１は、図９のエリア特定情報を取得して各地区のエリアの範囲を特定する。【００３７】  ＳＴＥＰ２２は、時間帯特定の処理である。
ＳＮＳサーバー１は、現在の時刻と図９の時間帯特定情報とに基いて、各時間帯の範囲（幅）を特定する。【００３８】  ＳＴＥＰ２３は、集計処理である。
本処理において、まずは投稿数の増減数を算出・集計する。
ＳＮＳサーバー１は、特定したエリアの範囲と、特定した時間帯と、すべての投稿管理データの投稿位置と、すべての投稿管理データの投稿時間とに基いて、特定した時間帯および特定したエリア内における投稿数（現在の時間が含まれる時間帯の投稿数）を算出する。
更に、同様の処理により算出したひとつ前の時間帯の投稿数を取得する。そして、前時間帯の投稿数と現時間帯の投稿数とに基いて投稿数の増減率を算出する。【００３９】  次に、内心種別毎の投稿数を算出・集計する。
ＳＮＳサーバー１は、特定したエリアの範囲と、特定した時間帯と、すべての投稿管理データの投稿位置と、すべての投稿管理データの投稿時間と、すべての投稿管理データの内心種別とに基いて、特定した時間帯および特定したエリア内における内心種別の数を算出・集計する。【００４０】  ＳＴＥＰ２４は、集計付き電子地図生成・公開の処理である。
ＳＮＳサーバー１（増減集計付き電子地図生成手段、内心集計付き電子地図生成手段）は、電子地図の情報と、ＳＴＥＰ２２とＳＴＥＰ２３において集計した結果と、図１０の内心種別位置マーク特定情報とに基いて、集計付き電子地図（図５）を生成し、これをユーザー端末２からユーザー端末５に送信する。これにより各端末の表示モニタには図５のような電子地図が表示され、投稿数の移り変わりや、投稿者の内心の分布などをひと目で確認できる。【００４１】  次のような処理により、公開先（閲覧者）を限定してもよい。
本ＳＮＳサービスは、投稿者の投稿位置を強制的に電子地図に表示し、友達や知人やその他の人に公開するものである。しかし、友達や知人であるからこそ、投稿者は自らの投稿位置を知られたくない場合がある。よって、ここでは公開先から友達や知人を除外する処理を説明する。
図１１の上段は本サービスのユーザーを特定するリスト（本ＳＮＳで公開先となるユーザーのリスト）である。図１１の下段は、投稿者の関係者（家族、または友人、または知人などを含む関係者）のリストである。なお、両リストとも、個人を特定するための識別記号として携帯電話を用いているものとする（ただし、携帯電話に限るものではない）。
ＳＮＳサーバー１（関係者取得手段、関係者除外手段）は、本サービスユーザーリストと、他サービス公開者リストとを取得して両者を比較し、重複する人がいないかを確認する。図１１の場合、「北山○○、０９０−３４５６−ｘｘｘｘ」が重複するので、この人を公開先から除外する。すなわち、本サービスの投稿者と「北山○○、０９０−３４５６−ｘｘｘｘ」とは友人関係にあるとみなして、ＳＮＳサーバー１は、この人を公開先（本サービスのユーザーリスト）から除外する。これにより関係者に投稿位置を知られずにすむのである。【００４２】  本ＳＮＳは位置情報の公開を必須としているものである。しかし、プライバシー保護等の観点から、自宅や職場などのプライバシーに関わる位置を公開することを回避したいと思う人もいる。そこで、以下の処理により投稿位置が特定の位置（公開拒否位置または公開拒否エリア）の場合は、それを回避したり、投稿する前に投稿者に警告を発するようにしてもよい。
図１４の上段は、公開拒否位置設定画面である。例えば、投稿者は自宅の場所を公開したくないとする。この場合、投稿者は自宅で図１４上段のような公開拒否位置設定画面にアクセスし、その場所を公開拒否する旨および拒否する範囲（自宅からの距離）を設定する。これにより投稿者端末２（公開拒否位置取得手段、代替位置取得手段）は、図１４中段のような公開拒否位置情報を生成し、これを記憶する。なお、代替位置は、投稿者端末２が拒否範囲の外側の任意の位置に設定してもよいし、投稿者が自ら代替位置を入力して設定してもよい（投稿者のプライバシーを保護しつつ情報の信頼性を可能な限り保つために、代替位置は拒否範囲になるべく近い位置が好ましい。【００４３】  投稿者が上記のＳＴＥＰ１において、図６の「投稿する（投稿要請）」をクリックまたはタップすると、投稿者端末２は、上記のＳＴＥＰ３において投稿位置を取得するが、投稿位置の取得後、図１４の公開拒否位置情報を参照（検索）し、その位置が公開拒否位置（または公開拒否エリア）に該当するか否かを確認する。該当しなければそのままＳＴＥＰ４に進むが、該当する場合は以下の処理を行う。
投稿者端末２（警告発信手段）は、図１４下段の警告情報を取得し、それを投稿者端末２の表示モニタに表示して、公開拒否エリアである旨を知らせて投稿者に警告を行う。
また、投稿者端末２（代替位置置換手段）は、警告のみならず、図１４中段に表された代替位置を投稿位置に置き換えて、代替位置を投稿情報とともに公開する（本当の投稿位置は公開しない）。これにより投稿者のプライバシーを保護することができる。【００４４】  上記実施例では、特定の例に基づいて本発明の内容を説明したが、本発明はこれに限るものではない。すなわち、本発明の趣旨に沿うものであれば、上記実施例と異なるハードウェア、異なるデータ、異なる処理手順であってもよい。また、ＳＮＳサーバー１が行う処理を、投稿者端末２が行ってもよいし、投稿者端末２が行う処理を、ＳＮＳサーバー１が行ってもよい。
更に、「投稿要請」とは、原則として投稿者が投稿の公開を要請する最終意思を示すものとする。例えば、「投稿する」ボタンをクリックまたはタップした後、再度投稿内容を確認し、その後に「投稿する」を再度クリックまたは再タップする仕組みが考えられるが、この場合は最後のクリックまたはタップが「投稿要請」に該当するものとする。
【符号の説明】
【００４５】１    ＳＮＳサーバー
２    ユーザー端末（投稿者端末）
３、４、５    ユーザー端末（閲覧者端末）
１０  瓢箪形の島
２０  旗マーク
【図１】
2019079476.tif 000003
【図２】
2019079476.tif 000004
【図３】
2019079476.tif 000005
【図４】
2019079476.tif 000006
【図５】
2019079476.tif 000007
【図６】
2019079476.tif 000008
【図７】
2019079476.tif 000009
【図８】
2019079476.tif 000010
【図９】
2019079476.tif 000011
【図１０】
2019079476.tif 000012
【図１１】
2019079476.tif 000013
【図１２】
2019079476.tif 000014
【図１３】
2019079476.tif 000015
【図１４】
2019079476.tif 000016